(57)【要約】【課題】ユーザ一人一人の視点に立ち、ユーザにとって利用価値の極めて高い主観的な地図を容易に作成することのできる、主観的地図作成方法および主観的地図作成システムを提供する。【解決手段】処理手段が、行動情報および位置情報とを関連付けて収集し（Ｓ１）、その収集した行動情報の中から主観的情報を抽出し（Ｓ２）、その抽出した主観的情報を前記位置情報に基づいて記憶手段に記憶されている既存の客観的地図データへ埋め込むことで（Ｓ３）、主観的地図を作成する。【選択図】      図１
2004302262.tif 000002
【特許請求の範囲】
【請求項１】
処理手段が、行動情報および位置情報とを関連付けて収集するステップと、
処理手段が、前記収集した行動情報の中から主観的情報を抽出するステップと、
処理手段が、前記抽出した主観的情報を、前記収集した位置情報に基づいて、記憶手段に記憶されている既存の地図データへ埋め込むステップと、
を含むことを特徴とする主観的地図作成方法。
【請求項２】
行動情報および位置情報とを関連付けて収集する情報収集手段と、
情報収集手段により収集された行動情報および位置情報とを関連付けて記憶する情報記憶手段と、
既存の地図データを記憶する既存地図記憶手段と、
既存地図記憶手段に記憶されている地図データを複数の領域に分割する領域分割手段と、
領域分割手段により分割された地図データの各領域に、情報記憶手段に記憶されている行動情報をその位置情報に基づいて割り振る情報分配手段と、
領域分割手段により分割された地図データの各領域毎に、情報分配手段により割り振られた行動情報から地理的情報を抽出する情報抽出手段と、
領域分割手段により分割された地図データの各領域毎に、情報抽出手段により抽出された地理的情報の中から地理的特徴を選定する特徴選定手段と、
を備えたことを特徴とする主観的地図作成システム。
【請求項３】
前記特徴選定手段により選定された地理的特徴を前記既存地図記憶手段に記憶されている地図データに埋め込むデータ埋込手段、
をさらに備えたことを特徴とする請求項２記載の主観的地図作成システム。
【請求項４】
行動情報、位置情報および時刻情報とを関連付けて収集する情報収集手段と、
情報収集手段により収集された行動情報、位置情報および時刻情報とを関連付けて記憶する情報記憶手段と、
既存の地図データを記憶する既存地図記憶手段と、
既存地図記憶手段に記憶されている地図データを複数の領域に分割する領域分割手段と、
領域分割手段により分割された地図データの各領域間の移動回数を、情報記憶手段に記憶されている位置情報および時刻情報に基づいてカウントする移動回数カウント手段と、
移動回数カウント手段によりカウントされた移動回数に基づいて重み付けした各領域間の移動ネットワークを作成する移動ネットワーク作成手段と、
を備えたことを特徴とする主観的地図作成システム。
【請求項５】
前記移動ネットワーク作成手段により作成された移動ネットワークを前記既存地図記憶手段に記憶されている地図データに埋め込むデータ埋込手段、
をさらに備えたことを特徴とする請求項４記載の主観的地図作成システム。
【請求項６】
行動情報、位置情報および時刻情報とを関連付けて収集する情報収集手段と、
情報収集手段により収集された行動情報、位置情報および時刻情報とを関連付けて記憶する情報記憶手段と、
既存の地図データを記憶する既存地図記憶手段と、
既存地図記憶手段に記憶されている地図データを複数の領域に分割する領域分割手段と、
領域分割手段により分割された地図データの各領域に、情報記憶手段に記憶されている行動情報をその位置情報に基づいて割り振る情報分配手段と、
領域分割手段により分割された地図データの各領域毎に、情報分配手段により割り振られた行動情報から地理的情報を抽出する情報抽出手段と、
領域分割手段により分割された地図データの各領域毎に、情報抽出手段により抽出された地理的情報の中から地理的特徴を選定する特徴選定手段と、
領域分割手段により分割された地図データの各領域間の移動回数を、情報記憶手段に記憶されている位置情報および時刻情報に基づいてカウントする移動回数カウント手段と、
移動回数カウント手段によりカウントされた移動回数に基づいて重み付けした各領域間の移動ネットワークを作成する移動ネットワーク作成手段と、
を備えたことを特徴とする主観的地図作成システム。
【請求項７】
前記特徴選定手段により選定された地理的特徴および前記移動ネットワーク作成手段により作成された移動ネットワークを、前記既存地図記憶手段に記憶されている地図データに埋め込むデータ埋込手段、
をさらに備えたことを特徴とする請求項６記載の主観的地図作成システム。
【発明の詳細な説明】
【０００１】
【発明の属する技術分野】
この出願の発明は、主観的地図作成方法および主観的地図作成システムに関するものである。さらに詳しくは、この出願の発明は、ユーザから見て主観性に富んだ地図を容易に作成することのできる、新しい主観的地図作成方法および主観的地図作成システムに関するものである。
【０００２】
【従来の技術】
従来より社会一般に利用されている地図は、ユーザにとって客観的なデータの集まり、つまりユーザの意思とは関係なく測量された緯度・経度・方位角・距離等や予め決められた地域名・路線名・ランドマーク名等の集まりに過ぎず、ユーザは単に地図上に示されているそれら客観的データを参照できるに留まっている。
【０００３】
他方、近年では、各地域における様々なお店・名所等を既存の地図上に掲載して紹介する「タウンナビ」などと呼ばれるタウン情報地図も出現しており、このものはユーザからのアンケート回答や電子掲示板・電子メール告知などによって収集した情報をしばしば利用していると考えられ、各ユーザにとってはある程度主観的なデータの集まりとなっている。アンケート等では、ユーザ自身の行動により得られた、嗜好や感情、観念などを反映した主観的情報が提供されるためである。
【０００４】
しかしながら、このような主観的データからなる主観的地図の作成は、ユーザがわざわざ情報提供する手間、収集した情報を統計する手間、統計データを地図データに適合させる手間などがかかり、非常に煩雑な作業を伴っている。
【０００５】
また、上記タウンナビは、主観的地図といっても、ユーザからのアンケート回答等やそれを表すテキスト情報が主な情報源であると考えられるため、未だ主観性および情報性に乏しいと言える。
【０００６】
なお、地図の作成を支援する技術としては、たとえば下記特許文献１〜５に記載された各種技術が提案されている。しかしながら、いずれも主観的地図に関するものではなく、主観的地図の作成を容易ならしめる技術は何ら実現されていないのが現状である。
【０００７】
また、地図の作成支援ではないが、屋外の任意地点にて該地点の位置に関する情報および該地点の状況に関する映像や音声等のマルチメディア情報とを取得し、それらを関連付けて記憶するデータベースの作成支援の技術として、下記特許文献６に記載されたものが提案されており、この特許文献６ではさらに、データベースから抽出した上記マルチメディア情報を地図上にマッピングすることも提案されている。しかしながら、このものも、収集するマルチメディア情報についての主観性が乏しく、また単に地図表示の横にマルチメディア情報を表示させたりするに過ぎないため、この技術を仮に主観的地図の作成に応用することができたとしても、上記タウン情報地図と同程度の主観性・情報性のものしか実現し得ないと考えられる。
【０００８】
【特許文献１】
特開２００２−３１８５３３号公報
【特許文献２】
特開２００２−１５３３１号公報
【特許文献３】
特開２００１−３３８３０５号公報
【特許文献４】
特開平１０−３３２３９１号公報
【特許文献５】
特開平１０−６３１８１号公報
【特許文献６】
特開２０００−２３５５７６号公報
【０００９】
【発明が解決しようとする課題】
そこで、この出願の発明は、以上のとおりの事情に鑑み、ユーザ一人一人の視点に立ち、ユーザにとって利用価値の極めて高い主観的な地図を容易に作成することのできる、主観的地図作成方法および主観的地図作成システムを提供することを課題としている。
【００１０】
【課題を解決するための手段】
この出願の発明は、上記の課題を解決するものとして、第１には、図１にその処理フロー図を例示したような、処理手段が、行動情報および位置情報とを関連付けて収集するステップ（Ｓ１）と、処理手段が、前記収集した行動情報の中から主観的情報を抽出するステップ（Ｓ２）と、処理手段が、前記抽出した主観的情報を、前記収集した位置情報に基づいて、記憶手段に記憶されている既存の地図データへ埋め込むステップ（Ｓ３）と、を含むことを特徴とする主観的地図作成方法。
【００１１】
第２には、図２にその機能ブロック図を例示したような、行動情報および位置情報とを関連付けて収集する情報収集手段（１１）と、情報収集手段（１１）により収集された行動情報および位置情報とを関連付けて記憶する情報記憶手段（１２）と、既存の地図データを記憶する既存地図記憶手段（１３）と、既存地図記憶手段（１３）に記憶されている地図データを複数の領域に分割する領域分割手段（１４）と、領域分割手段（１４）により分割された地図データの各領域に、情報記憶手段（１２）に記憶されている行動情報をその位置情報に基づいて割り振る情報分配手段（１５）と、領域分割手段（１４）により分割された地図データの各領域毎に、情報分配手段（１５）により割り振られた行動情報から地理的情報を抽出する情報抽出手段（１６）と、領域分割手段（１４）により分割された地図データの各領域毎に、情報抽出手段（１６）により抽出された地理的情報の中から地理的特徴を選定する特徴選定手段（１７）と、を備えたことを特徴とする主観的地図作成システム（１）を提供し、第３には、前記特徴選定手段（１７）により選定された地理的特徴を前記既存地図記憶手段（１３）に記憶されている地図データに埋め込むデータ埋込手段（１８）、をさらに備えたことを特徴とする主観的地図作成システム（１）を提供する。
【００１２】
また第４には、図３にその機能ブロック図を例示したような、行動情報、位置情報および時刻情報とを関連付けて収集する情報収集手段（２１）と、情報収集手段（２１）により収集された行動情報、位置情報および時刻情報とを関連付けて記憶する情報記憶手段（２２）と、既存の地図データを記憶する既存地図記憶手段（２３）と、既存地図記憶手段（２３）に記憶されている地図データを複数の領域に分割する領域分割手段（２４）と、領域分割手段（２４）により分割された地図データの各領域間の移動回数を、情報記憶手段（２２）に記憶されている位置情報および時刻情報に基づいてカウントする移動回数カウント手段（２５）と、移動回数カウント手段（２５）によりカウントされた移動回数に基づいて重み付けした各領域間の移動ネットワークを作成する移動ネットワーク作成手段（２６）と、を備えたことを特徴とする主観的地図作成システム（２）を提供し、第５には、前記移動ネットワーク作成手段（２６）により作成された移動ネットワークを前記既存地図記憶手段（２３）に記憶されている地図データに埋め込むデータ埋込手段（２７）、をさらに備えたことを特徴とする主観的地図作成システム（２）を提供する。
【００１３】
また第６には  図４にその機能ブロック図を例示したような、行動情報、位置情報および時刻情報とを関連付けて収集する情報収集手段（３１）と、情報収集手段（３１）により収集された行動情報、位置情報および時刻情報とを関連付けて記憶する情報記憶手段（３２）と、既存の地図データを記憶する既存地図記憶手段（３３）と、既存地図記憶手段（３３）に記憶されている地図データを複数の領域に分割する領域分割手段（３４）と、領域分割手段（３４）により分割された地図データの各領域に、情報記憶手段（３２）に記憶されている行動情報をその位置情報に基づいて割り振る情報分配手段（３５）と、領域分割手段（３４）により分割された地図データの各領域毎に、情報分配手段（３５）により割り振られた行動情報から地理的情報を抽出する情報抽出手段（３６）と、領域分割手段（３４）により分割された地図データの各領域毎に、情報抽出手段（３６）により抽出された地理的情報の中から地理的特徴を選定する特徴選定手段（３７）と、領域分割手段（３４）により分割された地図データの各領域間の移動回数を、情報記憶手段（３２）に記憶されている位置情報および時刻情報に基づいてカウントする移動回数カウント手段（３８）と、移動回数カウント手段（３８）によりカウントされた移動回数に基づいて重み付けした各領域間の移動ネットワークを作成する移動ネットワーク作成手段（３９）と、を備えたことを特徴とする主観的地図作成システム（３）を提供し、第７には、前記特徴選定手段（３７）により選定された地理的特徴および前記移動ネットワーク作成手段（３９）により作成された移動ネットワークを、前記既存地図記憶手段（３３）に記憶されている地図データに埋め込むデータ埋込手段（３１０）、をさらに備えたことを特徴とする主観的地図作成システム（３）を提供する。
【００１４】
【発明の実施の形態】
昨今の街中を観察すると、多くの人々が、携帯電話や携帯端末、デジタルカメラなどの各種の電子機器を持ち歩き、歩きながら、立ち止まりながら、お店の中で座りながらなどの様々なシチュエーションで、好きな場所で好きな時に、電話をかける、電子メールを送る、デジタル画像を撮るなど、電子情報に触れた様々な行動を頻繁に行っていることがわかる。当然このような行動から生まれる各種電子情報は、その行動を行った本人の意思、観念、感情、嗜好などの主観そのものを表している。たとえば、電子メールの送信行為は自らの意思に従ったもので、送ったメールの内容も自らの感情等を表したものである。デジタル画像の撮像行為も自らの意思に従ったもので、撮られた画像も自らの嗜好等を表している。また一方で、これら各種電子情報は、場所に関する様々な情報を含んでいる場合が多いと考えられる。たとえば、メールには、送信場所を表す言葉やその場所周辺に関連する言葉、あるいは送信場所ではないが自分が実際に訪れた場所（メール自体はその場所から離れた場所で送っている場合が該当する）に関する言葉などが入力されていることが多く、画像には、撮影場所の風景や撮影場所にある特徴的な物体が映されていることが多い。すなわち、地球上のある地点にて行われた行動により生まれた電子情報はその行動を行った者の主観的情報であって、それに含まれる場所に関する情報も主観的情報ということになる。
【００１５】
そこで、この出願の発明の発明者は、以上の観点から、ユーザの行動に起因した異種電子情報を行動情報として一括に捉え、それを位置情報とともに収集、蓄積し（図１：ステップＳ１）、且つその中から場所に関する行動者の主観的情報を抽出して（図１：ステップＳ２）、それを既存の客観的地図にマッピングすることで（図１：ステップＳ３）、実社会にて行動している人々の主観的情報からなる、主観性および情報性に富む、従来にない全く新しい地図を作成できることを見いだし、これに基づいてこの出願の発明を想到したのである。そして、このように作成された地図を「主観的地図」と呼ぶこととした。
【００１６】
したがって、タウンナビのようなタウン情報地図を前記従来技術の説明にて主観的地図と呼んだが、実際にはこの出願の発明の発明者が考えた上記「主観的地図」とはかけ離れた概念のものであり、従来に同様な概念の「主観的地図」は存在しないと思われる。
【００１７】
以下、上記のとおりの特徴を有するこの出願の発明の実施形態について、上記各種手段毎に詳細に説明する。なお、処理手段や記憶手段と呼ぶものは、ここで説明する各種手段に対応する。
【００１８】
＜＜第１の実施形態＞＞
［情報収集手段］
情報収集手段（図２：（１１））は、たとえば図５に例示したような、任意地点における行動情報および位置情報とを関連付けて収集する行動情報収集部（４１１）および位置情報収集部（４１２）を有している情報収集装置（４１）を考慮でき（図６：「情報収集処理」）、たとえば行動情報収集部（４１１）および位置情報収集部（４１２）を備えた遠隔操作型あるいはプログラム型の自走式ロボットなどや、携帯電話や携帯端末などが挙げられる。上記「主観的地図」の概念説明では実社会で移動する人間の主観的な行動情報を利用するとしたが、人間の主観に基づく遠隔操作やプログラムに従って移動し行動するロボット等の装置も当然利用可能である。
【００１９】
ここで、「行動情報」とは、任意の地点において行われた行動により生まれた情報を意味し、たとえば任意地点にて入力された電子メールや日記データ等のテキストデータ、録音された音声等の聴覚データ、撮像された静止画像や動画像等の視覚データなどの様々な異種情報を考慮できる。テキストと音声については言語データとしても分類できる。また、任意地点にて計測された身体情報（たとえば、人間の場合には体温、脈拍、血圧、筋電位、呼吸状態、脳波等、ロボットの場合にはバッテリー電圧、モータ電流、内部温度、モータ温度、回路温度、トルク付加等）も、ここでいう「行動情報」に含めることができる。これらの身体情報は、任意地点において人間やロボットが行なった歩く、登る、降りるなどの様々な行動により生まれた情報と言えるからである。これらは各種センサ等の検出装置（後述の「行動情報収集部（４１１）」を参照）により計測されるので「行動センシング情報」とも呼べる。またさらに、インターネットＷｅｂ上にて公開されている日記や掲示板、旅行記などに含まれているユーザ個人個人の行動に関する情報も、ここでいう「行動情報」に含めることができる。言い換えると、上記のとおりに実際に移動した先での行動により生まれた情報（行動センシングデータを含む）のみならず、別の場所に移動してから入力・送信等した過去の移動先地点で行なった行動情報をも考慮できるのである。たとえば、ある公園に行ったがそこではメール送信等はせず、お店や自宅などの別の場所に移ってから公園に関する情報をメール送信したりＷｅｂ公開したりした場合、その情報をもこの出願の発明が意図する主観的地図の作成に利用することで、その者の主観性を網羅できるようになる。もちろん以上の異種行動情報は、その全てを地図作成に利用しても、その中の一つや複数の組み合わせで利用してもよい。少なくとも一種の行動情報を利用すれば主観的地図は作成できるが、複数種の行動情報を対象とした方がより主観性および情報性が高くなることは言うまでもない。
【００２０】
「位置情報」とは、任意地点の位置に関する情報を意味し、たとえば経緯度や高度、番地などを考慮できる。この位置情報は、既存の客観的地図データに行動情報をマッピングする際に該行動情報の発生位置と客観的地図上の位置とを対応付けできるデータであればよい。たとえば経緯度のみでのマッピングや番地のみでのマッピング、それらを組み合わせたマッピングなどが挙げられる（これについては情報分配手段の説明にてさらに詳述する）。また、行動情報が、上記のように実際の移動先でのものではなく、別の場所に移動してからのものである場合には、後者の行動情報に含まれる過去の移動先地点の位置に関する情報をも、ここでいう「位置情報」に含める。たとえば上記公園での一例の場合、入力・送信等した場所はお店や自宅などであるが、その位置情報を取得してもメールやＷｅｂ等に記載されている公園の位置とは全く関係ないので、その場合にはテキスト情報に含まれる公園の位置に関する言葉（たとえば公園の名称など）を、マッピングに利用する位置情報とする。
【００２１】
行動情報収集部（４１１）は、上記行動情報を収集する機能を有するものであり、たとえばテキストデータにはキーボードなど、聴覚データにはマイクなど、視覚データにはカメラなど、行動センシングデータには各種センサなど、Ｗｅｂ公開データには検索エンジンなどを考慮できる。行動情報の種類によって適用される装置も異なる。上記自走式ロボットや携帯電話、携帯端末にこれら装置を付与すればよい。なお、たとえば、行動センシングデータのための各種センサについては、人間の場合にはたとえば腕時計に組み込んで脈拍等を自動計測したり、ロボットの場合にはたとえば駆動源や制御回路等に組み込んで電圧等を自動計測したりする態様も考えられる。また、Ｗｅｂ公開データのための検索エンジンについては、移動する人間やロボットに装備させなくても、たとえば行動情報収集センタなるものを構築してそのセンタ内にて主観的地図作成時に各種検索エンジンにて日記や掲示板等を検索するようにすればよい。
【００２２】
位置情報収集部（４１２）は、上記位置情報を収集する機能を有するものであり、たとえば実際に行動を行なった場所の位置情報についてはＧＰＳなどを考慮できる。上記自走式ロボットや携帯電話、携帯端末にＧＰＳ機能等を付与すればよい。また、たとえばＰＨＳ電話において電子メール等が発信された地点を最寄りの基地局の位置として認識し、それが地図作成時の位置精度の許容範囲にあれば、その認識装置も位置収集機能を有するものとして考慮できる。また、別の場所に移動してからの行動情報に含まれる位置情報については（上記公園の一例では公園の名称など）、各種単語抽出手法などを実行する機能を有する抽出装置も考慮できる。
【００２３】
以上のように収集する行動情報と位置情報との関係は、一つの行動情報に対して一つの位置情報が必ず対応して存在する。たとえば、ＧＰＳ機能および電子メール機能を有する携帯電話において、電子メールが送信される度にその送信時のＧＰＳデータを収集したり、ＧＰＳデータを連続収集している中で電子メールが発信された時刻と同一時刻でのＧＰＳデータを抽出したり、あるいは人やロボットなどの身体情報を計測する度にその計測時の位置情報を収集したり、またさらにはＷｅｂ公開データ中のある一つの場所に関する行動情報および位置情報とをペアで抽出したりする。
【００２４】
なお、これらの例で分かるように、行動情報と位置情報との収集には両者を結ぶ時刻情報が必ず関係している。したがって、情報収集装置（４１）は、行動情報および位置情報を関連付けるリンク情報とも呼べる時刻情報を、両者の収集と同時に収集しており、そのための時刻情報収集部（４１３）（図５参照）を有していると言える。たとえば、電子メールの発信時刻を携帯電話・携帯端末内蔵時計などにより、あるいは身体情報の計測時刻を計測機器内蔵時計などにより記録し収集する態様や、電子メールやＷｅｂ公開データ中に含まれる時間を表す情報を抽出し収集する態様などを考慮できる。時間を表す情報としては、テキストデータに含まれる日付、時分秒という数値を用いた情報や午前午後、朝昼夜、朝方、夕方、昼頃、早朝、深夜等の様々な言葉情報、さらには各種ヘッダに含まれる作成日時や送信日時等の情報など、時間を把握できるあらゆる情報を利用でき、これを行動情報および位置情報との収集時に抽出すればよい。
【００２５】
以上の情報収集装置（４１）は、収集した行動情報および位置情報、さらには時刻情報を次述の情報記憶手段へ与える必要があるので、それら収集情報を電波や光等により無線もしくは有線で送信したり、あるいは通信以外の形態で与える情報出力部（４１４）を備えてもいる（図５参照）。通信以外の形態については、たとえば、各収集部から収集情報を吸い出して情報記録手段へ受け渡すことのできる磁気あるいは光記録媒体などを考慮できる。
【００２６】
［情報記憶手段］
情報記憶手段（図２：（１２））は、たとえば図５に例示したような、上記情報収集装置（４１）からの収集情報を受け取る情報入力部（４２１）と、情報入力部（４２１）から入力された収集情報をそれぞれ関連付けて蓄積する情報蓄積部（４２２）とを有している情報データベース（４２）を考慮できる（図６：「情報蓄積処理」）。
【００２７】
この情報データベース（４２）は、情報収集装置（４１）とは別体のものとしても、それ自体に組み込んだものとしてもよい。
【００２８】
前者の場合、たとえば、情報収集蓄積センター等を構築してそれに設置されたデータベース装置を考慮でき、情報収集装置（４１）の情報出力部（４１４）から収集情報を情報入力部（４２１）にて受信あるいは吸い取り、情報蓄積部（４２２）にて逐次蓄積する（図５はこの形態を示す）。
【００２９】
また後者の場合、たとえば、情報収集装置（４１）自体にデータベース装置を組み入れた形態や、その内蔵記憶媒体にデータベースを構築する形態を考慮でき、情報収集装置（４１）内にて収集情報の受け取りが行われる（情報出力部（４１４）および情報入力部（４２１）はともに装置内部での出入力機能ということになる）。この後者形態では、さらに、情報収集装置（４１）の集合体をネットワーク上の分散データベースとして実現してもよく、これによれば、たとえば後述の各プログラム（図５：４４、４５、４６、４７、４８）からなる地図作成プログラムをネットワークにつながれた情報収集装置（４１）間を地図作成処理を行いながら移動するエージェントとして実現することが可能になる。
【００３０】
［既存地図記憶手段］
既存地図記憶手段（図２：（１３））は、たとえば図５に例示したような、既存の地図データを入力する地図入力部（４３１）と、地図入力部（４３１）により入力された地図データを蓄積する地図蓄積部（４３２）とを有している地図データベース（４３）を考慮できる。
【００３１】
「既存の地図データ」とは、測量された緯度・経度・方位角・距離等や予め決められた地域名・路線名・ランドマーク名等の集まりで成る客観的地図データのことを意味し、この出願の発明が作成しようとする主観的地図のベースとなる地図である。なお、この客観的地図については、整備済みであっても未整備であってもかまわない。
【００３２】
［領域分割手段］
領域分割手段（図２：（１４））は、たとえば図５に例示したような、上記地図データベース（４３）に予め記憶されている客観的地図データを複数の領域に分割する領域分割部（４４１）を有している領域分割装置（４４）を考慮できる。
【００３３】
この領域分割装置（４４）は、領域分割部（４４１）をプログラムとして有する装置形態やそれ自体がプログラムである形態などとして実現できる。
【００３４】
具体的処理については、たとえば、客観的地図データを格子状に分割したり、客観的地図データに予め含まれている行政区画や番地、あるいは建築物・道路・交差点・緑地・河川等のランドマークなどの各種地理的データに従って分割したりできる（図６：「領域分割処理」）。前者の場合では、一律に同一サイズで格子状分割してもよいが、上記情報データベース（４２）から位置情報を読み出し、頻繁に出現する位置についてはより細かなサイズに分割する処理も考えられる。あるいは、後述の情報分配手段により分配された行動情報のデータ量をフィードバックし、データ分布つまりデータ量の多少に応じて各領域サイズを自動調整することもできる（図６：「フィードバック」）。
【００３５】
［情報分配手段］
情報分配手段（図２：（１５））は、たとえば図５に例示したような、上記情報データベース（４２）から行動情報および位置情報の対データを読み出し、その位置情報と上記領域分割装置（４４）により分割された客観的地図データの各領域位置とのマッチングをする位置マッチング部（４５１）と、位置マッチング部（４５１）によりマッチングされたつまり一致した領域に該位置情報と対をなす行動情報を割り当てる行動情報割当部（４５２）とを有し、この位置マッチングおよび行動割当てを全行動・位置情報について行う情報分配装置（４５）を考慮できる。
【００３６】
この情報分配装置（４５）は、位置マッチング部（４５１）および行動情報割当部（４５２）をプログラムとして有する装置形態やそれ自体がプログラムである形態などとして実現できる。
【００３７】
具体的処理については、たとえば、位置情報が経緯度の場合には、いずれの領域の経緯度範囲に入るかを検出し、該当する領域に行動情報を割り当てる。番地の場合や経緯度・番地の組合せ、その他の位置情報の場合も同様である。これにより、実際の行動が客観的地図上のどの領域で行われたのかが対応付けされる。
【００３８】
なお、各領域に割り当てた行動情報を蓄積しておくために、領域毎に領域情報データベース（４００ａ、４００ｂ、４００ｃ・・・）を構築しておいてもよい（図６：「情報分配処理」）。
【００３９】
［情報抽出手段］
情報抽出手段（図２：（１６））は、たとえば図５に例示したような、上記領域分割装置（４４）により分割された客観的地図データの各領域毎に、上記情報分配装置（４５）により割り振られた行動情報から地理的情報を抽出する情報抽出部（４６１）を有している情報抽出装置（４６）を考慮できる。
【００４０】
この情報抽出装置（４６）は、情報抽出部（４６１）をプログラムとして有する装置形態やそれ自体がプログラムである形態などとして実現できる。
【００４１】
具体的処理については、たとえば、各領域の上記領域データベース（４００ａ、４００ｂ、４００ｃ・・・）毎に、それに記憶されている行動情報一つ一つから地理的情報を抽出する（図６：「情報抽出処理」）。抽出には、たとえば、行動情報がテキストデータの場合には形態素解析による単語の切り出しや辞書マッチングによる単語の切り出し、画像データの場合には画像認識処理による物体の切り出しや各種画像処理による色、テキスチャ、図形の抽出、画像文字認識処理による文字情報の抽出、音声データの場合には音声認識処理による音源の同定と切り出しや周波数解析による主要音声周波数成分の抽出、などが実行され、これ以外にも各種の抽出技術や認識技術を適用可能である。
【００４２】
ここで、「地理的情報」とは、地球上の山川・海陸・気候・人口・集落・産業・交通、土地の様子・事情、土地の高低・広狭・形状、地勢、地形、建造物、建築物、景観など、ありとあらゆる地理に関する情報を意味し、さらには地理上の人間の生活・文化に関する情報をも含む。すなわち、主観的地図を構成し得る情報であれば全て含まれるのである。実際には、これら抽出すべき情報を予め決めておき、それに基づいて上記抽出処理を行う。もちろん抽出情報の種類は随時更新可能とする。
【００４３】
抽出された各領域の地理的情報は、それぞれ対応する領域データベース（４００ａ、４００ｂ、４００ｃ・・・）に蓄積させておいてもよい。
【００４４】
［特徴選定手段］
特徴選定手段（図２：（１７））は、たとえば図５に例示したような、上記領域分割装置（４４）により分割された客観的地図データの各領域毎に、上記情報抽出装置（４６）により抽出された地理的情報から地理的特徴を選定する特徴選定装置（４７）を考慮できる。
【００４５】
「地理的特徴」とは、ある領域での行動情報から抽出された上記地理的情報の中でも、特にその領域において代表的または典型的な情報（で表された重要特徴）のことをいう。
【００４６】
より具体的には、ある地理的情報ｉが領域Ｒにおける「地理的特徴」であるためには、以下の条件（ａ）（ｂ）のいずれか一方または両方を満たすか、条件（ｃ）を満たす必要がある。
【００４７】
（ａ）領域Ｒで得られた行動情報の中で、地理的情報ｉの出現頻度が高いこと（「同一領域での高再現性」）。
【００４８】
（ｂ）領域Ｒ以外の領域で得られた行動情報の中で、地理的情報ｉの出現頻度が低いこと。または、地理的情報ｉの出現頻度が領域Ｒと同程度に高い領域が少数であること（「他領域での希少性」。
【００４９】
（ｃ）ユーザが直接、地理的情報ｉを領域Ｒにおける重要特徴であると指定すること（「ユーザによる重要性」）。
【００５０】
以下に具体例をいくつか挙げる。
【００５１】
・例１（条件（ａ）（ｂ）を満たす場合）：領域Ｒにおける地理的情報の中では地理的情報ｉ（＝「東京タワー」）が出現する頻度が高かったが、他にこの地理的情報ｉが同程度の高い頻度で出現する領域は非常に少数であった。このとき、地理的情報ｉは領域Ｒにおける地理的特徴である。
【００５２】
・例２（条件（ａ）を満たすが（ｂ）を満たさない場合）：領域Ｒにおける地理的情報の中では地理的情報ｉ（＝「交差点」）が出現する頻度が高かったが、この地理的情報ｉが同程度の高い頻度で出願する領域は他にも多数存在していた。このとき、地理的情報ｉは領域Ｒにおける地理的特徴ではない。
【００５３】
・例３（条件（ｂ）を満たすが（ａ）を満たさない場合）：領域Ｒにおける地理的情報に含まれる地理的情報ｉ（＝「火事」）は他の領域での出現頻度が非常に小さかったが、領域Ｒにおいても１度しか出現しなかった。このとき地理的情報ｉは地理的特徴ではない。
【００５４】
・例４（条件（ａ）（ｂ）を満たさないが（ｃ）を満たす場合）：領域Ｒにおける地理的情報において地理的情報ｉ（＝「神社」）の出現頻度は他の領域と比較して大きくなかったが、ユーザが地理的情報ｉを領域Ｒの地理的特徴として指定。
【００５５】
例１〜３は、条件（ａ）（ｂ）の両方を同時に具備する場合を判断基準としているが、それらいずれか一方のみを判断基準としてもよく、その場合では例２、３における地理的情報ｉも地理的特徴となる。ただし、前者の方が特徴度（重要度）がより高い地理的情報が地理的特徴として選定されることになる。また、例４のような条件（ｃ）については、オプション的な態様ではあるが、ユーザの主観性をより強く汲み取る場合には好ましい。
【００５６】
したがって、特徴選定装置（４７）は、たとえば、各領域毎に抽出された地理的情報について上記条件（ａ）（ｂ）（ｃ）の具備／不具備を判断する高再現性判断部（４７１）、希少性判断部（４７２）およびユーザ指定判断部（４７３）を有するものとでき、各領域間で地理的情報の出現頻度を統計的に比較することで、あるいはユーザからの指定に従い、各領域のランドマークとも呼ぶべき地理的特徴を選定する（図６：「特徴選定処理」）。
【００５７】
高再現性判断部（４７１）および希少性判断部（４７２）については、「ｔｆ（ｔｅｒｍ  ｆｒｅｑｕｅｎｃｙ）・ｉｄｆ（ｉｎｖｅｒｔｅｄ  ｄｏｃｕｍｅｎｔ  ｆｒｅｑｕｅｎｃｙ）法」「統計的検定」「総合情報量による方法」などの各種統計的手法の実行が考えられる。
【００５８】
またユーザ指定判断部（４７３）が判断するユーザ指定については、たとえば、情報収集装置（４１）が行動情報収集の際に行動情報の中の地理的情報ｉに対するユーザ指定情報をも収集し、その指定情報を情報データベース（４２）が行動情報とともに蓄積しておくことで、地理的情報ｉはユーザ指定有りと判断されて該当する領域Ｒにおける地理的特徴として選定されることになる。あるいは、別途ユーザからの指定を入力受付可能となっていてもよい。
【００５９】
抽出された各領域の地理的特徴は、それぞれ対応する領域データベース（４００ａ、４００ｂ、４００ｃ・・・）に蓄積させておいてもよい。
【００６０】
この特徴選定装置（４７）は、これら高再現性判断部（４７１）、希少性判断部（４７２）およびユーザ指定判断部（４７３）をプログラムとして有する装置形態やそれ自体がプログラムである形態などとして実現できる。
【００６１】
以上のようにして選定された地理的特徴は、単なるユーザの主観的データではなく、それを統計的処理して得られた各地点毎の主観的ランドマークデータとも呼ぶべきものであり、これを利用することで極めて主観性および情報性の高い主観的地図を作成できる。
【００６２】
［データ埋込手段］
データ埋込手段（図２：（１８））は、たとえば図５に例示したような、上記特徴選定装置（４７）により選定された各領域の地理的特徴データを、上記地図データベース（４３）に記憶されている既存の客観的地図データにおける対応する領域にマッピングして埋め込むデータ埋込部（４８１）を有しているデータ埋込装置（４８）を考慮できる。
【００６３】
このデータ埋込装置（４８）は、データ埋込部（４８１）をプログラムとして有する装置形態やそれ自体がプログラムである形態などとして実現できる。
【００６４】
なお、選定された地理的特徴を客観的地図に埋め込んで主観的地図とする他にも、地理的特徴のみを主観的地図として利用するようにしてもよい。この場合、たとえば、前記領域データベース（４００ａ、４００ｂ、４００ｃ・・・）に蓄積されている地理的特徴を各領域に位置付けたマップ状データとし、この特徴マップをそのまま主観的地図として用いる。これによれば、主観的地図としての特徴マップと既存の客観的地図とを別々に参照できる。
【００６５】
また、この特徴マップデータを客観的地図データに重ね合わせて主観的地図データを作成してもよい。図６ではこの形態を示し、「特徴マップ作成処理」「重ね合わせ処理」を順に行っている。
【００６６】
以上の各処理によって、各地点毎の主観的ランドマークデータからなる主観性および情報性に富んだ主観的地図が作成されることになり、ユーザは電子メール送信やデジタル画像撮影等の通常行っている行動だけで、主観的地図の作成を簡単に支援することができる。
【００６７】
また、自分だけの主観的情報に基づくプライベート地図とも呼べる主観的地図を簡単に作成したりもできる。この場合ではたとえば、行動情報をユーザのＩＤ情報付きデータとして収集・蓄積しておけば、そのＩＤ情報で認識されるユーザのみの主観的地図を作成できる。
【００６８】
＜＜第２の実施形態＞＞
上述した第１の実施形態では、任意地点においてユーザが起こした主観的行動を地図データに変換し客観的地図に埋め込むことで、主観的地図を作成するとしたが、本実施形態では、任意地点間を移動するユーザのその移動履歴を利用して主観的地図を作成する。
【００６９】
本実施形態は、行動情報、位置情報および時刻情報とを関連付けて収集する情報収集手段（図３：（２１））と、情報収集手段（２１）により収集された行動情報、位置情報および時刻情報とを関連付けて記憶する情報記憶手段（図３：（２２）と、既存の地図データを記憶する既存地図記憶手段（図３：（２３））と、既存地図記憶手段（２３）に記憶されている地図データを複数の領域に分割する領域分割手段（図３：（２４））と、以下に説明する各手段を必要とするが、前者４つの手段は、たとえば図７に例示したような、第１の実施形態におけるものとほぼ同様の機能を有する情報収集装置（５１）、情報データベース（５２）、地図データベース（５３）、領域分割装置（５４）として提供できる。
【００７０】
上記以外の各手段について、図７および図８を適宜参照しながら、以下に詳細に説明する。
【００７１】
［移動回数カウント手段］
移動回数カウント手段（図３：（２５））は、たとえば図７に例示したような、領域分割装置（５４）により分割された客観的地図データの各領域間の移動回数を、情報データベース（５２）に記憶されている位置情報および時刻情報に基づいてカウントするつまり数え上げるカウント部（５５１）を有している移動回数カウント装置（５５）を考慮できる（図８：「移動回数カウント処理」）。
【００７２】
この移動回数カウント装置（５５）は、カウント部（５５１）をプログラムとして有する装置形態やそれ自体がプログラムである形態などとして実現できる。
【００７３】
具体的処理については、まず最も古い時刻を示している時刻情報と対をなす位置情報が該当する領域をスタート領域と判断し（図８では領域ＲＡ）、それを基準として、以後移動した周りの領域ＲＢ〜Ｉに対する移動回数を数え上げる。
【００７４】
カウントされた各領域の移動回数は、それぞれ対応する領域データベース（５００ａ、５００ｂ、５００ｃ・・・）に蓄積させておいてもよい。
【００７５】
［移動ネットワーク作成手段］
移動ネットワーク作成手段（図３：（２６））は、たとえば図７に例示したような、移動した領域間を結ぶネットワークを作成するネットワーク作成部（５６１）と、作成されたネットワークを移動回数カウント装置（５５）によりカウントされた移動回数に基づいて重み付けするネットワーク重付部（５６２）を有し、これにより重み付き領域間移動ネットワークを作成する移動ネットワーク作成装置（５６）を考慮できる（図８：「移動ネットワーク作成処理」）。
【００７６】
この移動ネットワーク作成装置（５６）は、ネットワーク作成部（５６１）およびネットワーク重付け部（５６２）をプログラムとして有する装置形態やそれ自体がプログラムである形態などとして実現できる。
【００７７】
具体的処理については、たとえば、まず移動した全ての領域つまり位置情報が該当する全ての領域の間を移動時刻順に結ぶネットワークを作成し、続いて各領域間に対して移動回数に応じた重み付け値を決定する。この重み付け値としては、各移動回数が総移動回数に対してどの程度の割合となっているかを表す移動頻度値を用いるこことができ、この移動頻度値で重み付けする。たとえば、総移動回数が１００回である場合に領域ＲＡから領域ＲＢへの移動回数が１０回であれば０．１、領域ＲＣへの移動回数が５回であれば０．０５、というように移動頻度値を算出し、この値で領域ＲＡから領域ＲＢ、領域ＲＣへのネットワークを重み付けすればよい。
【００７８】
これによれば、領域間の関係を重み付き領域間移動ネットワークにより視覚化することができ、そしてこのものを利用することで主観的地図の作成を実現することができる。
【００７９】
［データ埋込手段］
データ埋込手段（図３：（２７））は、たとえば図７に例示したような、上記移動ネットワーク作成装置（５６）により作成された重み付き領域間移動ネットワークを、上記地図データベース（５３）に記憶されている既存の客観的地図データに埋め込むデータ埋込部（５７１）を有しているデータ埋込装置（５７）を考慮できる。
【００８０】
このデータ埋込装置（５７）は、データ埋込部（５７１）をプログラムとして有する装置形態やそれ自体がプログラムである形態などとして実現できる。
【００８１】
なお、作成された移動ネットワークを客観的地図に埋め込んで主観的地図とする他にも、移動ネットワークのみを主観的地図として利用するようにしてもよい。この場合、たとえば、重み付き領域間移動ネットワークをマップ状データとして表示可能なものとし、この重み付き領域間移動マップをそのまま主観的地図として用いる。これによれば、主観的地図としての移動マップと既存の客観的地図とを別々に参照できる。
【００８２】
また、この移動マップデータを客観的地図データに重ね合わせて主観的地図データを作成してもよい。図８ではこの形態を示し、「移動マップ作成処理」「重ね合わせ処理」を順に行っている。
【００８３】
以上の各処理によって、各地点毎間の主観的移動データからなる主観性および情報性に富んだ主観的地図が作成されることになり、ユーザは電子メール送信やデジタル画像撮影等の通常行っている行動だけで、主観的地図の作成を簡単に支援することができ、また自分だけの移動履歴を表したプライベート地図も実現可能である。
【００８４】
なお、上述した移動マップの作成処理では位置情報として経緯度データや高度データ、番地データなどを用いるとしたが、より緻密な移動マップを作成すべく、移動した距離や方向、速度などの各種移動情報も、位置情報の一種として収集・蓄積し、移動ネットワークの作成時に利用するようにしてもよい。たとえば、ある領域間の移動回数に加えて、その移動速度等も考慮した重み付けを行うなど、様々な態様が考えられる。
【００８５】
＜＜第３の実施形態＞＞
この出願の発明によれば、上述した第１の実施形態および第２の実施形態を組み合わせて、主観的ランドマークデータおよび主観的移動データからなる主観的地図を作成することもできる。
【００８６】
この場合では、情報収集手段（図４：３１）、情報記憶手段（図４：３２）、既存地図記憶手段（図４：３３）、領域分割手段（図４：３４）、情報分配手段（図４：３５）、情報抽出手段（図４：３６）、特徴選定手段（図４：３７）、移動回数カウント手段（図４：３８）、移動ネットワーク作成手段（図４：３９）として、特に図には示さないが、上述した情報収集装置（図５：４１）、情報データベース（図５：４２）、地図データベース（図５：４３）、領域分割装置（図５：４４）、情報分配装置（図５：４５）、情報抽出装置（図５：４６）、特徴選定装置（図５：４７）、移動回数カウント装置（図７：５５）、移動ネットワーク作成装置（図７：５６）を考慮でき、さらにデータ埋込手段（図４：３１０）としては、上述したデータ埋込装置（図５：４８）およびデータ埋込装置（図７：５７）の機能組合せを考慮できる。データ埋込については、特徴選定装置（４７）により得られた地理的特徴または地理的マップおよび移動ネットワーク作成装置（５６）により得られた移動ネットワークまたは移動マップの両者を客観的地図データに埋め込めばよい。
【００８７】
これにより得られた主観的地図は、主観的ランドマークデータおよび主観的移動データを一度に把握することができ、極めて有用なタウンナビ等を実現できるのである。
【００８８】
【実施例】
ここでは、この出願の発明の上記実施形態による実施例について説明する。
【００８９】
＜＜第１の実施例＞＞
第１の実施例として、個人が持ち歩くＧＰＳ付き携帯端末から屋外のある地点にて送信された電子メールを主観的地図作成に利用する場合を考える。図９は、本実施例を説明するための処理フロー図である。
【００９０】
まず、既存の客観的地図データを記憶しておき、送信された電子メールのテキストデータ（行動情報）とそれが送信された地点の経緯度データ（ＧＰＳによる位置情報）、ならびにそれが送信された時刻データ（携帯端末内蔵時計による時刻情報）とを関連付けて蓄積しておく（図５：情報収集装置（４１）、情報データベース（４２）、地図データベース（４３））。
【００９１】
次に、客観的地図データを複数領域に分割する（図５：領域分割装置（４４））。本実施例では一様サイズ固定の格子状分割を行っている。
【００９２】
次に、テキストデータを経緯度データに基づいて各領域に割り振る（図５：情報分配装置（４５））。より具体的には、経緯度データがどの領域の経緯度範囲に入るかが検出され、検出された領域にその経緯度データと対をなすテキストデータが割り当てられる。
【００９３】
次に、各領域毎にテキストデータから地理的単語を抽出する（図５：情報抽出装置（４６））。たとえば、テキストデータ「この神社は坂の上にあって、富士山が・・・」がイラスト中の左上角領域にある場合に、形態素解析等により地理的単語「神社」「坂」「富士山」が切り出される。
【００９４】
次に、各領域毎に地理的単語の中から地理的特徴単語を選定する（図５：特徴選定装置（４７））。たとえば、左上角領域ではその地理的単語データ「神社」「坂」「富士山」のうちの「神社」が、ｔｆ・ｉｄｆ法等の統計的処理により地理的特徴単語として選定される。つまり、「神社」がこの領域におけるランドマークキーワードとなる。
【００９５】
以上の抽出処理および選定処理を全領域について行うことで特徴マップが作成され、それと客観的地図とを重ね合わせることで主観的地図が作成される（図５：データ埋込装置（４８））。
【００９６】
＜＜第２の実施例＞＞
第２の実施例として、ある人が屋外のある場所に訪れ、その後別の場所に移って携帯電話から送ったその訪れた場所に関する情報を含む電子メールを、主観的地図作成に利用する場合を考える。図１０は、本実施例を説明するための処理フロー図である。
【００９７】
まず、既存の客観的地図データを記憶しておき、送信された電子メールのテキストデータ（行動情報）とそのテキストデータ中に含まれる訪れた場所の名称を示すデータ（単語認識による位置情報）、ならびにそのテキストデータ中に含まれる訪れた時間を示す時刻データ（単語認識による時刻情報）とを関連付けて蓄積しておく（図５：情報収集装置（４１）、情報データベース（４２）、地図データベース（４３））。
【００９８】
次に、客観的地図データを複数領域に分割する（図５：領域分割装置（４４））。本実施例では地理的データに基づく分割を行っている。
【００９９】
次に、テキストデータを上記場所名データに基づいて各領域に割り振る（図５：情報分配装置（４５））。より具体的には、場所名データがどの領域にある場所の名称を示すかが検出され、検出された領域にその場所名データと対をなすテキストデータが割り当てられる。たとえばあるお寺の名称が含まれていた場合に、それが抽出されて、そのお寺が存在する領域であるイラスト中の右側真中領域にテキストデータが分配される。
【０１００】
次に、各領域毎にテキストデータから地理的単語を抽出する（図５：情報抽出装置（４６））。たとえば、上記お寺に関して「あそこは暗くて寒い感じがした。とても静かだったし。」というテキストデータがある場合に、その中から地理的単語「暗い」「寒い」「静か」が切り出される。
【０１０１】
次に、各領域毎に地理的単語の中から地理的特徴単語を選定する（図５：特徴選定装置（４７））。たとえば、上記右側真中領域では上記地理的単語データ「暗い」「寒い」「静か」のうちの「静か」が地理的特徴単語として選定される。これにより、「静か」がこの領域におけるランドマークキーワードとなり、静かなお寺、という主観的情報が得られるのである。
【０１０２】
後は、以上の抽出処理および選定処理を全領域について行うことで特徴マップが作成され、それと客観的地図とを重ね合わせることで主観的地図が作成される（図５：データ埋込装置（４８））。
【０１０３】
＜＜第３の実施例＞＞
第３の実施例として、ある人が屋外のある場所に訪れ、その後家に帰ってパソコンから書き込んだその訪れた場所に関する情報を含むＷｅｂ上公開されている日記を、主観的地図作成に利用する場合を考える。図１１は、本実施例を説明するための処理フロー図である。
【０１０４】
まず、既存の客観的地図データを記憶しておき、公開されているＷｅｂ日記のテキストデータ（行動情報）とそのテキストデータ中に含まれる場所の名称を示すデータ（単語認識による位置情報）、ならびにそのテキストデータ中に含まれる訪れた時間を示す時刻データ（単語認識による時刻情報）とを関連付けて蓄積しておく（図５：情報収集装置（４１）、情報データベース（４２）、地図データベース（４３））。
【０１０５】
次に、客観的地図データを複数領域に分割する（図５：領域分割装置（４４））。本実施例ではデータ分布に基づく分割（フィードバック有り）を行っている。
【０１０６】
次に、テキストデータを上記場所名データに基づいて各領域に割り振る（図５：情報分配装置（４５））。より具体的には、場所名データがどの領域にある場所の名称を示すかが検出され、検出された領域にその場所名データと対をなすテキストデータが割り当てられる。たとえばある公園の名称が含まれていた場合に、それが抽出されて、その公園が存在する領域であるイラスト中の左上角領域にテキストデータが分配される。
【０１０７】
次に、各領域毎にテキストデータから地理的単語を抽出する（図５：情報抽出装置（４６））。たとえば、上記公園に関して「桜の花が満開で、とても綺麗でした。」というテキストデータがある場合に、その中から地理的単語「桜」「花」「綺麗」が切り出される。
【０１０８】
次に、各領域毎に地理的単語の中から地理的特徴単語を選定する（図５：特徴選定装置（４７））。たとえば、上記左上角領域では上記地理的単語データ「桜」「花」「綺麗」のうちの「桜」が地理的特徴単語として選定される。これにより、「桜」がこの領域におけるランドマークキーワードとなり、桜で有名な公園、という主観的情報が得られるのである。
【０１０９】
後は、以上の抽出処理および選定処理を全領域について行うことで特徴マップが作成され、それと客観的地図とを重ね合わせることで主観的地図が作成される（図５：データ埋込装置（４８））。
【０１１０】
なお、以上の第１〜第３の実施例は電子メールやＷｅｂ公開日記別に場合分けしたものであるが、もちろんそれらを一括して利用できることは言うまでもない。たとえば、左上角領域に電子メールのテキストデータもＷｅｂ公開日記のテキストデータも割り振られている場合、それぞれから各種地理的単語が抽出され、その全単語から統計的にある一つまたは複数の地理的特徴が選定される。このような処理が全領域に対して行われることになる。
【０１１１】
＜＜第４の実施例＞＞
第４の実施例として、デジタルカメラ＋ＧＰＳ付き携帯端末から屋外のある地点にて撮像された画像データを主観的地図作成に利用する場合を考える。図１２は、本実施例を説明するための処理フロー図である。
【０１１２】
まず、既存の客観的地図データを記憶しておき、画像データ（行動情報）とその画像データが撮像された地点の経緯度データ（ＧＰＳによる位置情報）、ならびにそれが撮像された時刻データ（携帯端末内蔵時計による時刻情報）とを関連付けて蓄積しておく（図５：情報収集装置（４１）、情報データベース（４２）、地図データベース（４３））。
【０１１３】
続いて、客観的地図データを複数領域に分割（図５：領域分割装置（４４））し、画像データを経緯度データに基づいて各領域に割り振る（図５：情報分配装置（４５））。
【０１１４】
次に、各領域毎に画像データから地理的物体を抽出する（図５：情報抽出装置（４６））。たとえば、図１２中に示したような画像データが左上角領域にある場合、画像認識処理等により地理的物体「家」「木」「赤い屋根」「車」が切り出される。
【０１１５】
次に、各領域毎に地理的物体の中から地理的特徴物体を選定する（図５：特徴選定装置（４７））。たとえば、左上角領域では上記地理的物体のうちの「赤い屋根」「車」が統計的処理により地理的特徴物体として選定される。つまり、これらがこの領域におけるランドマーク物体となる。
【０１１６】
後は、以上の抽出処理および選定処理を全領域について行うことで特徴マップが作成され、それと客観的地図とを重ね合わせることで主観的地図が作成される（図５：データ埋込装置（４８））。
【０１１７】
＜＜第５の実施例＞＞
第５の実施例として、デジタルカメラ付き携帯端末から屋外のある地点にて撮像された画像データを主観的地図作成に利用する場合を考える。図１３は、本実施例を説明するための処理フロー図である。
【０１１８】
まず、既存の客観的地図データを記憶しておき、画像データ（行動情報）とその画像データの中に含まれる撮影場所を示す画像データ（画像物体認識による位置情報）、ならびに撮像時間を示す時刻データ（携帯端末内蔵時計による時刻情報）とを関連付けて蓄積しておく（図５：情報収集装置（４１）、情報データベース（４２）、地図データベース（４３））。
【０１１９】
次に、客観的地図データを複数領域に分割する（図５：領域分割装置（４４））。本実施例では一様サイズ固定の格子状分割を行っている。
【０１２０】
次に、画像データを撮影場所画像データに基づいて各領域に割り振る（図５：情報分配装置（４５））。より具体的には、撮影場所画像データがどの領域にある場所を示すかが検出され、検出された領域にその撮影場所画像データと対をなす画像データが割り当てられる。たとえばある富士山が映し出されていた場合に、それが抽出されて、富士山が存在する領域にテキストデータが分配される。
【０１２１】
次に、各領域毎に画像データから地理的物体を抽出する（図５：情報抽出装置（４６））。たとえば、図１２中に示したような画像データが左上角領域にある場合に、画像認識処理等により地理的物体「神社」「坂」「富士山」が切り出される。
【０１２２】
次に、各領域毎に地理的物体の中から地理的特徴物体を選定する（図５：特徴選定装置（４７））。たとえば、左上角領域では上記地理的物体のうちの「富士山」が統計的処理により地理的特徴物体として選定される。つまり、こがこの領域におけるランドマーク物体となる。
【０１２３】
後は、以上の抽出処理および選定処理を全領域について行うことで特徴マップが作成され、それと客観的地図とを重ね合わせることで主観的地図が作成される（図５：データ埋込装置（４８））。
【０１２４】
＜＜第６の実施例＞＞
第６の実施例として、ＩＣレコーダ＋ＧＰＳ付き携帯端末から屋外のある地点にて録音された音データを主観的地図作成に利用する場合を考える。図１４は、各々、本実施例を説明するための処理フロー図である。
【０１２５】
まず、既存の客観的地図データを記憶しておき、音データ（行動情報）とその音データが録音された地点の経緯度データ（ＧＰＳによる位置情報）、ならびにそれが録音された時刻データ（携帯端末内蔵時計による時刻情報）とを関連付けて蓄積しておく（図５：情報収集装置（４１）、情報データベース（４２）、地図データベース（４３））。
【０１２６】
次に、客観的地図データを複数領域に分割する（図５：領域分割装置（４４））。本実施例では一様サイズ固定の格子状分割を行っている。
【０１２７】
次に、音データを経緯度データに基づいて各領域に割り振る（図５：情報分配装置（４５））。より具体的には、経緯度データがどの領域の経緯度範囲に入るかが検出され、検出された領域にその経緯度データと対をなす画像データが割り当てられる。
【０１２８】
次に、各領域毎に音データから地理的音源を抽出する（図５：情報抽出装置（４６））。たとえば、図１４中に示したように、左上角領域に「カンカンカン」「ザワザワ」といった音データ、右上角領域に「ぎゃー」「ガウー」「ヒュー」「ゴロゴロ」といった音データがある場合に、音声認識処理等によりそれぞれ地理的音源として「踏切」「雑踏」、「子供の声」「犬の鳴き声」「風」「雷」が抽出される。
【０１２９】
次に、各領域毎に地理的音源の中から地理的特徴音源を選定する（図５：特徴選定装置（４７））。たとえば、左上角領域では上記地理的音源のうちの「踏切」が、右上角領域では「子供の声」がそれぞれ統計的処理に地理的特徴物体として選定される。つまり、これらが対応する領域におけるランドマーク物体となる。
【０１３０】
後は、以上の抽出処理および選定処理を全領域について行うことで特徴マップが作成され、それと客観的地図とを重ね合わせることで主観的地図が作成される（図５：データ埋込装置（４８））。
【０１３１】
＜＜第７の実施例＞＞
第７の実施例として、体温・脈拍計測機能＋ＧＰＳ機能付き腕時計型携帯電話を装着した人が屋外のある場所に訪れた際にその場所にて計測されたその人の身体情報である体温データおよび脈拍データを、主観的地図作成に利用する場合を考える。図１５は、本実施例を説明するための処理フロー図である。
【０１３２】
まず、既存の客観的地図データを記憶しておき、計測された体温データおよび脈拍データ（行動センシング情報）とそれが計測された場所の経緯度データ（ＧＰＳによる位置情報）、ならびにそれが計測された時刻データ（携帯電話内蔵時計による時刻情報）とを関連付けて蓄積しておく（図５：情報収集装置（４１）、情報データベース（４２）、地図データベース（４３））。
【０１３３】
続いて、客観的地図データを複数領域に分割し（図５：領域分割装置（４４））、体温データおよび脈拍データを経緯度データに基づいて各領域に割り振る（図５：情報分配装置（４５））。
【０１３４】
次に、各領域毎に体温データおよび脈拍データから地理的身体情報を抽出する（図５：情報抽出装置（４６））。たとえば、図１５中に示したように、体温が平時より高くなっていれば「体温上昇」、脈拍が平時より高くなっていれば「脈拍増加」、という地理的身体情報が認識・抽出される。
【０１３５】
次に、各領域毎に地理的身体情報の中から地理的特徴身体情報を選定する（図５：特徴選定装置（４７））。たとえば、右上角領域では上記地理的身体情報のうちの「脈拍増加」が統計的に地理的特徴身体情報として選定される。これにより、「脈拍増加」がこの領域におけるランドマーク身体情報となり、この領域は脈拍が増加する、という主観的情報が得られるのである。
【０１３６】
後は、以上の抽出処理および選定処理を全領域について行うことで特徴マップが作成され、それと客観的地図とを重ね合わせることで主観的地図が作成される（図５：データ埋込装置（４８））。
【０１３７】
＜＜第８の実施例＞＞
第８の実施例として、温度・トルクセンサ機能＋ＧＰＳ機能付き遠隔操作型ロボットが屋外のある場所に移動させられた際にその場所にて計測されたそのロボットの身体情報である内部温度データおよびトルク負荷データを、主観的地図作成に利用する場合を考える。図１６は、本実施例を説明するための処理フロー図である。
【０１３８】
まず、既存の客観的地図データを記憶しておき、計測された内部温度データおよびトルク負荷データ（行動センシング情報）とそれが計測された場所の経緯度データ（ＧＰＳによる位置情報）、ならびにそれが計測された時刻データ（ロボット内蔵時計による時刻情報）とを関連付けて蓄積しておく（図５：情報収集装置（４１）、情報データベース（４２）、地図データベース（４３））。
【０１３９】
続いて、客観的地図データを複数領域に分割し（図５：領域分割装置（４４））、内部温度データおよびトルク負荷データを経緯度データに基づいて各領域に割り振る（図５：情報分配装置（４５））。
【０１４０】
次に、各領域毎に内部温度データおよびトルク負荷データから地理的身体情報を抽出する（図５：情報抽出装置（４６））。たとえば、図１６中に示したように、内部温度が平時より高くなっていれば「内部温度上昇」、トルク負荷が平時より高くなっていれば「トルク負荷増加」、という地理的身体情報が認識・抽出される。
【０１４１】
次に、各領域毎に地理的身体情報の中から地理的特徴身体情報を選定する（図５：特徴選定装置（４７））。たとえば、右上角領域では上記地理的身体情報のうちの「トルク負荷増加」が統計的に地理的特徴身体情報として選定される。これにより、「トルク負荷増加」がこの領域におけるランドマークロボット身体情報となり、この領域はトルク負荷が増加する、という主観的情報が得られるのである。
【０１４２】
後は、以上の抽出処理および選定処理を全領域について行うことで特徴マップが作成され、それと客観的地図とを重ね合わせることで主観的地図が作成される（図５：データ埋込装置（４８））。
【０１４３】
なお、以上の第１〜第９の実施例はテキストデータ、画像データ、音データ別に場合分けしたものであるが、もちろんそれらを一括して利用できることは言うまでもない。たとえば、同一領域内に異種行動情報が存在する場合、各情報から各種地理的情報が抽出され、その全情報から統計的にある一つまたは複数の地理的特徴が選定される。このような処理が全領域に対して行われることになる。
【０１４４】
＜＜第９の実施例＞＞
第９の実施例として、上記第１の実施例で収集された電子メールの発信地点の経緯度データおよび時刻データを利用して、移動マップを作成する場合を考える。
【０１４５】
図１７に例示したように、まず、既存の客観的地図データを記憶しておき、送信された電子メールのテキストデータとそれが送信された地点の経緯度データ、ならびに時刻データとを関連付けて蓄積し（図７：情報収集装置（５１）、情報データベース（５２）、地図データベース（５３））、その一方で、客観的地図データを複数領域に分割する（１２５：領域分割装置（５４））。ここまでは第１の実施例と同じである。
【０１４６】
次に、各領域間の移動回数をカウントし、さらに移動頻度を算出する（図７：移動回数カウント装置（５５））。たとえば、領域ＲＡから領域ＲＢへの移動頻度＝０．１、領域ＲＣへの移動頻度＝０．０５、領域ＲＤへの移動頻度＝０．４というように算出される。
【０１４７】
次に、各領域間の移動ネットワークを、算出した移動頻度で重み付けする（図７：移動ネットワーク作成装置（５６））。重み付けしたネットワークは、たとえば移動頻度が大きいほど太くし、小さいほど細くする。
【０１４８】
以上により作成された移動ネットワークは、領域間関係が明瞭に視覚化された移動マップとして利用でき、これ単体を主観的地図として用いても、これをさらに客観的地図と重ね合わせて作成した主観的地図としてもよい（図７：データ埋込装置（５７））。
【０１４９】
なおもちろん、第１の実施例だけではなく、第２、第３の実施例で収集された電子メールやＷｅｂ公開日記中に含まれている訪れた場所の位置データおよび訪れた時間の時刻データ、あるいは第４〜第８の実施例で収集された位置データおよび時刻データを利用しても、同様に移動ネットワーク・移動マップを作成できることは言うまでもない。
【０１５０】
＜＜第１０の実施例＞＞
上述のとおりに作成された特徴マップおよび移動マップの両方を客観的地図に重ね合わせて主観的地図を作成する場合を、図１８に示す。
【０１５１】
図１８から明らかなように、この主観的地図は、従来からある客観的地図上に、ユーザ自らが注目した、感じた、ランドマークを的確に表示しているとともに、それらの間の移動履歴も明瞭に表示しており、客観的情報および主観的情報を一度に簡単に把握することができるものとなっている。
【０１５２】
＜＜第１１の実施例＞＞
以上の主観的地図を利用すれば、たとえば以下のような様々なアプリケーションが可能になると考えられる。
【０１５３】
Ｉ．「やわらかい」ナビゲーション（言葉や知覚情報に基づいた位置推定や経路検索など）
主観的地図に埋め込まれたランドマークキーワードやキー物体、キー音源などの情報を用いて道案内などを行う。
【０１５４】
ＩＩ．個人個人に適した「略地図」の作成
主観的地図のランドマーク物体をそれ以外のものよりも強調することにより、個人個人の興味や身体性に特化した略地図を作成する。
【０１５５】
ＩＩＩ．各個人の空間知識獲得・整理の支援（方向音痴の治療など）
主観的地図に埋め込まれたランドマークキーワード、キー物体、キー音源などをユーザに適時提示することによって強く意識させ、その土地の地理情報の記憶を支援する。
【０１５６】
ＩＶ．空間情報の共有・交換を促進（コミュニティー支援など）
興味や居住地域などを共有するグループ内において、各個人が主観的地図を互いに公開しあったり、グループ共有の主観的地図を作成することにより、個人間の交流を支援する。たとえば、メールグループやチャットグループであれば、グループ内で送受されるメールデータやチャットデータを利用して、そのグループ用主観的地図を作成したりできる。
【０１５７】
Ｖ．散歩情報支援（散歩ナビなど）
ある地域について詳しい人がその主観的地図を公開するこにより、その地域に馴染みの薄い他の人たちが参考にして散策を行うことを支援する。
【０１５８】
ＶＩ．空間認知における個人差（身体性などの影響）の分析
ある地域について、年齢、性別、興味、身体的特徴などが異なる様々な人々の主観的地図を比較や分類分析し、その結果を商品広告戦略や街設計戦略に利用する。
【０１５９】
もちろん、この出願の発明は以上の実施形態および実施例に限定されるものではなく、細部については様々な態様が可能である。
【０１６０】
【発明の効果】
以上詳しく説明したとおり、この出願の発明によって、ユーザ一人一人の視点に立ち、ユーザにとって利用価値の極めて高い主観的な地図を容易に作成することのできる、主観的地図作成方法および主観的地図作成システムが提供される。
【図面の簡単な説明】
【図１】この出願の発明を説明するためのフローチャートである。
【図２】この出願の発明を説明するための機能ブロック図である。
【図３】この出願の発明を説明するための別の機能ブロック図である。
【図４】この出願の発明を説明するためのさらに別の機能ブロック図である。
【図５】この出願の発明の第１の実施形態を説明するための機能ブロック図である。
【図６】この出願の発明の第１の実施形態を説明するための処理フロー図である。
【図７】この出願の発明の第２の実施形態を説明するための機能ブロック図である。
【図８】この出願の発明の第２の実施形態を説明するための処理フロー図である。
【図９】この出願の発明の第１の実施例を説明するための処理フロー図である。
【図１０】この出願の発明の第２の実施例を説明するための別の処理フロー図である。
【図１１】この出願の発明の第３の実施例を説明するためのまた別の処理フロー図である。
【図１２】この出願の発明の第４の実施例を説明するためのさらに別の処理フロー図である。
【図１３】この出願の発明の第５の実施例を説明するためのまたさらに別の処理フロー図である。
【図１４】この出願の発明の第６の実施例を説明するための処理フロー図である。
【図１５】この出願の発明の第７の実施例を説明するための処理フロー図である。
【図１６】この出願の発明の第８の実施例を説明するための処理フロー図である。
【図１７】この出願の発明の第９の実施例を説明するための処理フロー図である。
【図１８】この出願の発明の第１０の実施例を説明するための処理フロー図である。
【符号の説明】
１  主観的地図作成システム
１１  情報収集手段
１２  情報記憶手段
１３  既存地図記憶手段
１４  領域分割手段
１５  情報分配手段
１６  情報抽出手段
１７  特徴選定手段
１８  データ埋込手段
２  主観的地図作成システム
２１  情報収集手段
２２  情報記憶手段
２３  既存地図記憶手段
２４  領域分割手段
２５  移動回数カウント手段
２６  移動ネットワーク作成手段
２７  データ埋込手段
３  主観的地図作成システム
３１  情報収集手段
３２  情報記憶手段
３３  既存地図記憶手段
３４  領域分割手段
３５  情報分配手段
３６  情報抽出手段
３７  特徴選定手段
３８  移動回数カウント手段
３９  移動ネットワーク作成手段
３１０  データ埋込手段
４  主観的地図作成システム
４１  情報収集装置
４１１  行動情報収集部
４１２  位置情報収集部
４１３  時刻情報収集部
４１４  情報出力部
４２  情報データベース
４２１  情報入力部
４２２  情報蓄積部
４３  地図データベース
４３１  地図入力部
４３２  地図蓄積部
４４  領域分割装置
４４１  領域分割部
４５  情報分配装置
４５１  位置マッチング部
４５２  行動情報割当部
４６  情報抽出装置
４６１  情報抽出部
４７  特徴選定装置
４７１  高再現性判断部
４７２  希少性判断部
４７３  ユーザ指定判断部
４８  データ埋込装置
４８１  データ埋込部
４００ａ、４００ｂ、４００ｃ・・・  領域データベース
５  主観的地図作成システム
５１  情報収集装置
５１１  位置情報収集部
５１２  時刻情報収集部
５１３  情報出力部
５２  情報データベース
５２１  情報入力部
５２２  情報蓄積部
５３  地図データベース
５３１  地図入力部
５３２  地図蓄積部
５４  領域分割装置
５４１  領域分割部
５５  移動回数カウント装置
５５１  移動回数カウント部
５６  移動ネットワーク作成装置
５６１  ネットワーク作成部
５６２  ネットワーク重付部
５７  データ埋込装置
５７１  データ埋込部
５００ａ、５００ｂ、５００ｃ・・・  領域データベース
【図１】
2004302262.tif 000003
【図２】
2004302262.tif 000004
【図３】
2004302262.tif 000005
【図４】
2004302262.tif 000006
【図５】
2004302262.tif 000007
【図６】
2004302262.tif 000008
【図７】
2004302262.tif 000009
【図８】
2004302262.tif 000010
【図９】
2004302262.tif 000011
【図１０】
2004302262.tif 000012
【図１１】
2004302262.tif 000013
【図１２】
2004302262.tif 000014
【図１３】
2004302262.tif 000015
【図１４】
2004302262.tif 000016
【図１５】
2004302262.tif 000017
【図１６】
2004302262.tif 000018
【図１７】
2004302262.tif 000019
【図１８】
2004302262.tif 000020